(57)【特許請求の範囲】
【請求項１】
外部との通信を行なうための送受信部と、
指示を入力するためのキー入力部と、
少なくとも１つが電話番号情報である通話相手に関するｎ（ｎは自然数）個の情報に対応して設けられ、かつ、前記ｎ個の情報を別々に記憶するｎ個の記憶部と、
制御部とを備え、
前記制御部は、前記キー入力部を介して入力された発呼要求に応じて、前記通話相手の交換機の種類を識別するとともに、前記ｎ個の記憶部から読出した少なくとも１つの電話番号情報を前記識別した交換機の種類に応じて決定される方式に従って送信し、前記通話相手に接続する、携帯電話機。
【請求項２】
前記ｎ個の情報は、全て電話番号情報であり、
前記制御部は、前記発呼要求に応じて前記ｎ個の記憶部から前記通話相手の電話番号情報を所定の順序に従って読出し、ｋ（ｋはｎ−１以下の自然数）番目に読出した電話番号情報によって前記通話相手に接続できないときｋ＋１番目に読出した電話番号情報によって発呼する、請求項１に記載の携帯電話機。
【請求項３】
各種情報をユーザに視覚情報として与える表示部をさらに備え、
前記ｎ個の情報は、
通話相手を識別するための識別情報である第１の情報と、
前記通話相手の連絡先の電話番号群である第２の情報とから成り、
前記通話相手への発呼時、
前記制御部は、前記通話相手が前記キー入力部を介して入力されると、前記識別情報に基づいて、前記入力された通話相手の連絡先の電話番号群を前記表示部に表示し、前記電話番号群から選択された１つの電話番号が前記キー入力部を介して入力されると前記１つの電話番号によって発呼する、請求項１に記載の携帯電話機。
【請求項４】
前記第１の情報は、通話相手の氏名であり、
前記第２の情報は、前記通話相手の携帯電話番号、および会社の電話番号を含む、請求項３に記載の携帯電話機。
【発明の詳細な説明】
【技術分野】
【０００１】
この発明は、複数の電話番号情報を記憶する複数のメモリを内蔵した携帯電話機に関する。
【背景技術】
【０００２】
最近、携帯電話機が広く普及している。そして、携帯電話機は、通話相手の電話番号を登録するためのメモリを内蔵しており、携帯電話機のユーザが通話相手に電話を掛けるときはメモリに登録された電話番号を表示画面に表示させ、その表示させた電話番号から通話相手の電話番号を選択することが可能である。
【０００３】
メモリに記憶された電話番号から通話相手の電話番号が選択されると、携帯電話機は、選択された電話番号によって通話相手に発呼し、通話相手の電話機に接続する。そして、携帯電話機のユーザは通話相手と通話をする。
【発明の開示】
【発明が解決しようとする課題】
【０００４】
しかし、従来の携帯電話機は、会社の代表電話番号を登録するメモリの他に、会社の代表電話番号に対応付けられた内線番号を登録するためのメモリを内蔵していないため、たとえば、Ａ会社の甲さんに携帯電話機から電話を掛けたいときは、まず、Ａ会社の代表電話番号によって発呼し、Ａ会社との回線が接続された後に甲さんの内線番号を言って甲さんに接続してもらう必要があり、非常に煩雑である。
【０００５】
また、通話相手が複数の連絡先を有する場合、従来の携帯電話機では複数の連絡先を相互に関連付けて登録することができないため、ある１つの連絡先に電話を掛けても通話相手の電話機に接続できないときは、一旦、電話を切ってから別の連絡先に電話を掛ける必要があった。
【０００６】
そこで、本発明は、かかる問題を解決するためになされたものであり、その目的は、通話相手の複数の電話番号の各々を別々のメモリに登録し、その登録した複数の電話番号によって通話相手に自動的に接続可能な携帯電話機を提供することである。
【課題を解決するための手段】
【０００７】
この発明によれば、携帯電話機は、外部との通信を行なうための送受信部と、指示を入力するためのキー入力部と、少なくとも１つが電話番号情報である通話相手に関するｎ（ｎは自然数）個の情報に対応して設けられ、かつ、ｎ個の情報を別々に記憶するｎ個の記憶部と、制御部とを備える。そして、制御部は、キー入力部を介して入力された発呼要求に応じて、通話相手の交換機の種類を識別するとともに、ｎ個の記憶部から読出した少なくとも１つの電話番号情報を識別した交換機の種類に応じて決定される方式に従って送信し、通話相手に接続する。
【０００８】
好ましくは、ｎ個の情報は、全て電話番号情報である。そして、制御部は、発呼要求に応じてｎ個の記憶部から通話相手の電話番号情報を所定の順序に従って読出し、ｋ（ｋはｎ−１以下の自然数）番目に読出した電話番号情報によって通話相手に接続できないときｋ＋１番目に読出した電話番号情報によって発呼する。
【０００９】
好ましくは、ｎ個の情報は、通話相手を識別するための識別情報である第１の情報と、通話相手の連絡先の電話番号群である第２の情報とから成る。そして、通話相手への発呼時、制御部は、通話相手がキー入力部を介して入力されると、識別情報に基づいて、入力された通話相手の連絡先の電話番号群を表示部に表示し、電話番号群から選択された１つの電話番号がキー入力部を介して入力されると１つの電話番号によって発呼する。
【００１０】
好ましくは、第１の情報は、通話相手の氏名であり、第２の情報は、通話相手の携帯電話番号、および会社の電話番号を含む。
【発明の効果】
【００１１】
この発明による携帯電話機においては、少なくとも１つが電話番号情報であるｎ個の情報が各々別々にｎ個の記憶部に記憶される。そして、通話相手に発呼するとき、通話相手の交換機の種類が識別され、少なくとも１つの電話番号情報がその識別された交換機の種類に応じて決定される方式によって送信される。
【００１２】
したがって、この発明によれば、携帯電話機のユーザは、複数種類の交換機が存在しても、自己の携帯電話機を電話番号によって通話相手に接続できる。
【００１３】
また、この発明による携帯電話機は、通話相手が複数の電話機を持っている場合に、最初に発呼した電話機に回線が接続されないときは、次の電話機に発呼し、その電話機にも回線が接続されないときは、さらに次の電話機に発呼する。つまり、携帯電話機は、通話相手が持つ全ての電話機に回線を接続できないことが確認されるまで、電話番号を次々と変えて発呼する。
【００１４】
したがって、この発明によれば、通話相手と回線を接続できる可能性が高くできる。
【００１５】
さらに、この発明による携帯電話機は、電話番号群から選択された１つの電話番号によって発呼し、通話相手と回線を接続する。
【００１６】
したがって、この発明によれば、通話相手の電話番号を任意に決定できる。
【００１７】
さらに、この発明による携帯電話機は、第１の情報をアドレス帳として用い、第１の情報に基づいて通話相手を決定する。そして、携帯電話機は、その決定した通話相手が持つ複数の電話機のうち、任意に決定した電話機に発呼して通話相手と回線を接続する。
【００１８】
したがって、この発明によれば、通話相手の会社の電話機や携帯電話機に回線を接続できる。
【発明を実施するための最良の形態】
【００１９】
本発明の実施の形態について図面を参照しながら詳細に説明する。なお、図中同一または相当部分には同一符号を付してその説明は繰返さない。
【００２０】
［実施の形態１］
図１を参照して、本発明による携帯電話機が会社の内線電話機に電話を掛ける電話システムについて説明する。会社２００は、構内交換機３００と、内線電話機１０，２０，・・を備える。内線電話機１０，２０，・・は、構内交換機３００に接続されている。携帯電話機（たとえば、ＰＨＳ（Ｐｅｒｓｏｎａｌ  Ｈａｎｄｙｐｈｏｎｅ  Ｓｙｓｔｅｍ））１００は、会社２００の代表電話番号によって発呼し、構内交換機３００と回線を接続する。そうすると、構内交換機３００は、接続したい内線電話機１０，２０，・・の内線番号を、発呼した携帯電話機１００に要求し、携帯電話機１００から内線電話機１０，２０，・・の内線番号を受信すると、その受信した内線番号の内線電話機１０，２０，・・に回線を接続する。そして、携帯電話機１００のユーザは、内線電話機１０，２０，・・のユーザと通話をする。
【００２１】
つまり、図１に示す電話システムは、会社２００の外から携帯電話機１００によって会社２００内の内線電話機１０，２０，・・に構内交換機３００を用いて自動的に回線を接続する電話システムである。
【００２２】
図２を参照して、本発明による携帯電話機１００の構成について説明する。携帯電話機１００は、アンテナ１０１と、送受信部１０２と、表示部１０３と、キーボード１０４と、制御回路１０５と、メモリ（１）１０６と、メモリ（２）１０７と、変復調部１０８と、音声処理部１０９と、マイク１１０と、スピーカ１１１とを備える。
【００２３】
アンテナ１０１は、外部からの信号を送受信する。送受信部１０２は、アンテナ１０１を介して受信した信号をベースバンド信号に変換してバスＢＳ１に与えるとともに、バスＢＳ１から受取った送信するための信号を変調してアンテナ１０１に与える。表示部１０３は、各種の情報をユーザに視覚情報として与える。キーボード１０４は、電話番号、文字情報、および各種の指示を入力する。制御回路１０５は、各構成部を制御する。
【００２４】
メモリ（１）１０６は、後述するように各会社の代表電話番号を各会社の会社名に対応付けて記憶する。メモリ（２）１０７は、後述するようにメモリ（１）１０６に記憶された各会社の代表電話番号に対応した各会社の内線電話帳を記憶する。この場合、各内線電話番号帳は、各内線電話機の電話番号をユーザ名に対応付けた構成から成る。
【００２５】
変復調部１０８は、π／４シフトＱＰＳＫ（Ｑｕａｄｒａｔｕｒｅ  Ｐｈａｓｅ  Ｓｈｉｆｔ  Ｋｅｙｉｎｇ）方式による変調処理および復調処理を行なうとともに、ＰＨＳのチャネル処理を行なう。すなわち、変復調部１０８は、マイク１１０から入力され、かつ、音声処理部１０９によって符号化された携帯電話機１００のユーザの音声信号を、その音声信号の位相をπ／４ずつ離散的に分散させることによって変調を行ない、その変調した信号を送受信部１０２へ出力する。つまり、変復調部１０８は、０相に（０，０）、π／２相に（０，１）、π相に（１，０）、３π／２相に（１，１）を対応させて変調を行なうＱＰＳＫ変調方式において、各位相をさらにπ／４ずつシフトさせて、π／４相に（０，０）、３π／４相に（０，１）、５π／４相に（１，０）、７π／４相に（１，１）を対応させて変調を行なう。
【００２６】
また、変復調部１０８は、アンテナ１０１が受信したπ／４シフトＱＰＳＫ方式によって変調された音声信号を送受信部１０２を介して受取り、その変調された信号を復調して音声処理部１０９へ出力する。さらに、変復調部１０８は、ＰＨＳのチャネル処理としてリンクチャネル確立とサービスチャネル確立とを行なう。リンクチャネル確立とは、着信制御チャネルと発信制御チャネルとから成る制御チャネルの機能を用いて、各サービスの呼接続に必要な品質、容量のチャネルを選択し、次フェーズの呼接続に必要なプロトコルの種別を選択することを言う。また、サービスチャネル確立とは、リンクチャネル確立によって得られたリンクチャネル機能を用いて、サービスを提供するために必要な容量のチャネルを選択し、通信フェーズに必要なプロトコルの種別を選択することを言う。
【００２７】
音声処理部１０９は、ＰＣＭ（Ｐｕｌｓｅ  Ｃｏｄｅ  Ｍｏｄｕｌａｔｉｏｎ）方式によってアナログ信号を符号化してデジタル信号に変換し、その変換したデジタル信号をさらにＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）方式によって符号化する。また、音声処理部１０９は、ＰＣＭ方式およびＡＤＰＣＭ方式によって変調されたデジタル信号を復号してアナログ信号に変換する。このＰＣＭ方式とは、アナログ信号をサンプリングし、サンプルごとに標本化、量子化を行ないデジタル信号に符号化する方式である。また、ＡＤＰＣＭ方式とは、過去の入力信号から現在の入力信号の値を予測し、その差分を求めて量子化を行ない、入力信号が大きく変化しても効果的に量子化を行なうことができるように、適応時に量子化のレベルを増減して符号化を行なうものである。
【００２８】
したがって、音声処理部１０９は、マイク１１０からのアナログの音声信号をＰＣＭ方式およびＡＤＰＣＭ方式によって符号化してデジタル信号に変換し、変復調部１０８へ出力する。また、音声処理部１０９は、変復調部１０８からのデジタル信号を復号してアナログ信号に変換してスピーカ１１１へ出力する。
【００２９】
マイク１１０は、携帯電話機１００のユーザが発した音声信号を入力し、その音声信号を音声処理部１０９へ出力する。スピーカ１１１は、音声処理部１０９によって復号された音声信号を外部へ出力する。
【００３０】
図３を参照して、携帯電話機１００のメモリ（１）１０６およびメモリ（２）１０７が記憶する代表電話番号および内線電話番号帳について説明する。メモリ（１）１０６は、Ａ社の代表電話番号１０６１である０３−ｘｘｘｘ−ｘｘｘｘ、Ｂ社の代表電話番号１０６２である０５８４−ｘｘ−ｘｘｘｘ、・・・を、各会社名に対応付けて記憶する。
【００３１】
メモリ（２）１０７は、内線電話番号帳１０７１，１０７２，・・を、それぞれ、Ａ社の代表電話番号１０６１、Ｂ社の代表電話番号１０６２に対応付けて記憶する。ここで、内線電話番号帳１０７１は、「石田さん」の内線番号１０７１Ａである５５５５から成る。また、内線電話番号帳１０７２は、「山口さん」の内線番号１０７２Ａである３０００と、「山田さん」の内線番号１０７２Ｂである３００２と、「吉田さん」の内線番号１０７２Ｃである３００６とから成る。内線電話番号帳１０７１，１０７２は、内線番号とユーザ名とを対応付けた構成から成る。
【００３２】
なお、図３においては、内線電話番号帳１０７１は１つの内線番号から成り、内線電話番号帳１０７２は３つの内線番号から成るが、これは、携帯電話機１００のユーザが電話を掛けたいＡ社、およびＢ社のユーザの内線番号だけを記憶すれば良いからである。
【００３３】
図４を参照して、図１に示す会社２００の構内交換機３００について説明する。構内交換機３００は、交換機３０１と、音声装置３０２と、ＤＴＭＦ（Ｄｕａｌ  Ｔｏｎｅ  Ｍｕｌｔｉ−Ｆｒｅｑｕｅｎｃｙ）処理部３０３と、制御装置３０４とを備える。
【００３４】
交換機３０１は、外部の携帯電話機１００からの着信を受信すると、着信を受信したことを音声装置３０２へ出力し、音声装置３０２から「内線番号を押してください」とのアナウンスが出力されると、そのアナウンスを携帯電話機１００へ送信する。また、交換機３０１は、携帯電話機１００から内線番号をＤＴＭＦ信号として受信すると、その受信したＤＴＭＦ信号をＤＴＭＦ処理部３０３へ出力し、制御装置３０４からの制御に従って内線電話機１０，２０，３０，４０，・・を携帯電話機１００と接続する。
【００３５】
音声装置３０２は、交換機３０１が携帯電話機１００からの着信を受信したことを受取ると、「内線番号を押してください」というアナウンスを発生し、その発生したアナウンスを交換機３０１へ出力する。ＤＴＭＦ処理部３０３は、交換機３０１からＤＴＭＦ信号を受信すると、その受信したＤＴＭＦ信号を解析し、その解析結果を制御装置３０４へ出力する。制御装置３０４は、ＤＴＭＦ処理部３０３から解析結果を受取ると、その解析結果によって指定された内線電話機１０，２０，３０，４０，・・・を携帯電話機１００に接続するように交換機３０１を制御する。
【００３６】
携帯電話機１００から会社２００の内線電話機１０，２０，３０，４０，・・・へ自動的に回線を接続する動作については、フローチャートを参照して詳細に説明する。
【００３７】
図５に示すように、会社２００がＤＴＭＦ信号に基づいて自動的に内線電話機１０，２０，３０，４０，・・に接続する構内交換機３００を備えていない場合には、携帯電話機１００は、ＩＳＤＮ（Ｉｎｔｅｇｒａｔｅｄ  Ｓｅｒｖｉｃｅ  Ｄｉｇｉｔａｌ  Ｎｅｔｗｏｒｋ）網を用いて会社２００の内線電話機１０，２０，３０，４０，・・に自動的に接続することが可能である。
【００３８】
図５を参照して、携帯電話機１００と会社２００とはＩＳＤＮ網８０を介して接続されている。この場合、会社２００は、ＩＳＤＮ網８０に接続された内線電話機１０，２０，３０を備えている。携帯電話機１００は、ＩＳＤＮアドレスによって発呼し、会社２００の各内線電話機１０，２０，３０に自動的に接続する。
【００３９】
図６を参照して、ＩＳＤＮアドレスについて説明する。ＩＳＤＮアドレス９０は、ＩＳＤＮ番号９１と、ＩＳＤＮサブアドレス９２とから成る。ＩＳＤＮ番号９１は、国番号９１１と、国内宛先番号９１２と、加入者番号９１３とから構成される。国内宛先番号９１２は、通常の電話番号における市外局番と着信網の識別の両方の役割を有する。そして、ＩＳＤＮ番号９１の最大桁数は１５桁であり、ＩＳＤＮサブアドレス９２の最大桁数は４０桁である。したがって、本発明においては、ＩＳＤＮ番号９１の国内宛先番号９１２および加入者番号９１３の欄に会社２００の代表電話番号を設定し、ＩＳＤＮサブアドレス９２に内線電話機１０，２０，３０の内線番号を設定する。
【００４０】
再び、図５を参照して、携帯電話機１００は、図６に示したＩＳＤＮアドレス９０に従って会社２００の代表電話番号と内線電話機１０，２０，３０の内線番号とを設定して発呼する。たとえば、携帯電話機１００は、Ｂ会社の代表電話番号０５８４−ｘｘ−ｘｘｘｘと内線電話機２０の内線番号３００２とを設定し、０５８４−ｘｘ−ｘｘｘｘ；３００２によって発呼したとすると、携帯電話機１００から発信された発呼信号０５８４−ｘｘ−ｘｘｘｘ；３００２は、無線基地局（図示せず）を介してＩＳＤＮ網８０に入り、Ｂ会社の代表電話番号０５８４−ｘｘ−ｘｘｘｘによって指定された着信先を探してＩＳＤＮ網８０中を進行し、会社２００に到達する。そして、発呼信号０５８４−ｘｘ−ｘｘｘｘ；３００２は、会社２００に到達すると、ＩＳＤＮサブアドレス９２である３００２によって指定された内線電話機２０に到達し、内線電話機２０が発呼信号０５８４−ｘｘ−ｘｘｘｘ；３００２を受信して携帯電話機１００との間に回線が接続される。
【００４１】
会社２００が、図３に示すようにＤＴＭＦ信号に基づいて自動的に内線電話機１０，２０，３０，４０，・・に接続する構内交換機３００を備えておらず、また、図６に示すようなＩＳＤＮアドレス９０によって自動的に内線電話機１０，２０，３０，４０，・・に接続できない場合、携帯電話機１００は、会社２００のオペレータによって内線電話機１０，２０，３０，・・へ接続される。
【００４２】
図７を参照して、内線電話機１０，２０，３０は、交換機４００に接続されており、オペレータ５００は交換機４００を操作する。オペレータ５００は、携帯電話機１００からの発呼を交換機４００を介して受信すると、携帯電話機１００に対して内線番号を要求する。そして、オペレータ５００は、携帯電話機１００から内線番号を受信すると、交換機４００を操作して指定された内線電話機１０，２０，３０を携帯電話機１００に接続する。
【００４３】
図８を参照して、上述した３つの方法によって携帯電話機１００のユーザが会社２００の内線電話機１０，２０，３０，４０，・・に電話を掛けるときの動作について説明する。
【００４４】
携帯電話機１００のユーザは、キーボード１０４を介してＡ社の「石田さん」への発呼要求を入力すると、制御回路１０５は、バスＢＳ１を介してＡ社への発呼要求を受取り、バスＢＳ１を介してＡ社の代表電話番号１０６１をメモリ（１）１０６から検索する（ステップＳ１）。そして、制御回路１０５は、Ａ社の代表電話番号１０６１を検出すると、Ａ社の代表電話番号１０６１を呼出す（ステップＳ２）。次に、制御回路１０５は、メモリ（２）１０７からＡ社の代表電話番号１０６１に対応付けられた内線電話番号帳１０７１をバスＢＳ１を介して読出し、その読出した内線電話番号帳１０７１をバスＢＳ１を介して表示部１０３に表示する（ステップＳ３）。
【００４５】
ステップＳ１〜ステップＳ３までの動作は、メモリ（１）１０６から電話を掛けたいＡ社の代表電話番号と内線電話番号帳とを抽出する動作であるが、本発明においては、メモリ（２）１０７から電話を掛けたいＡ社の代表電話番号と内線電話番号帳とを抽出しても良い。その場合は、ステップＳ４〜ステップＳ６に示す動作になる。すなわち、携帯電話機１００のユーザがキーボード１０４を介してＡ社の「石田さん」への発呼要求を入力すると、制御回路１０５は、発呼要求をバスＢＳ１を介して受取り、バスＢＳ１を介してメモリ（２）１０７を検索し、メモリ（２）１０７から内線電話番号帳１０７１を読出し、表示部１０３に表示する（ステップＳ４）。そして、携帯電話機１００のユーザが表示部１０３に表示された内線電話番号帳１０７１に基づいて「石田さん」を選択するための指示をキーボード１０４から入力する（ＳステップＳ５）。そうすると、制御回路１０５は、内線電話番号帳１０７１に対応付けられたＡ社の代表電話番号１０６１をメモリ（１）１０６から読出す（ステップＳ６）。
【００４６】
ステップＳ３またはステップＳ６の後、制御回路１０５は、着先がＤＴＭＦ信号によって自動的に内線電話機１０，２０，３０，４０，・・に接続可能か否かを判別する（ステップＳ７）。この場合、制御回路１０５は、Ａ社の代表電話番号１０６１を呼出すときに、代表電話番号１０６１とともにメモリ（１）１０６に記憶された「自動接続可否信号」（図示せず）を読出し、その読出した「自動接続可否信号」に基づいて着先がＤＴＭＦ信号によって自動接続が可能か否かを判別する。
【００４７】
制御回路１０５は、着先がＤＴＭＦ信号によって自動接続可能であると判断したとき、メモリ（１）１０６から読出したＡ社の代表電話番号１０６１を送受信部１０２およびアンテナ１０１を介して外部へ送信し、発呼する。そうすると、Ａ社の構内交換機３００は、交換機３０１によって携帯電話機１００からの発呼を受信し、その旨を音声装置３０２へ出力する。そして、音声装置３０２は、「内線番号を押してください」というアナウンスを発生し、その発生させたアナウンスを交換機３０１へ出力する。交換機３０１は、受取ったアナウンスを携帯電話機１００へ送信する。携帯電話機１００は、アンテナ１０１および送受信部１０２を介してアナウンスを受信し、メモリ（２）１０７から呼出した内線番号１０７１Ａを送受信部１０２およびアンテナ１０１を介して構内交換機３００へ送信する（ステップＳ８）。
【００４８】
構内交換機３００の交換機３０１は、内線番号を受信し、その受信した内線番号をＤＴＭＦ処理部３０３へ出力する。ＤＴＭＦ処理部３０３は、受取ったＤＴＭＦ信号を解析し、携帯電話機１００から送信された内線番号を抽出して制御装置３０４へ出力する。制御装置３０４は、ＤＴＭＦ処理部３０３によって抽出された内線番号に基づいて、その内線番号の内線電話機１０，２０，３０，４０，・・を携帯電話機１００に接続するように交換機３０１を制御し、交換機３０１は制御装置３０４からの制御によって内線電話機１０，２０，３０，４０，・・を携帯電話機１００に接続する。そして、携帯電話機１００のユーザは、内線電話機１０，２０，３０，４０，・・のユーザと通話を行なう（ステップＳ９）。
【００４９】
このように、着先がＤＴＭＦ信号に基づいて自動接続できるときは、ステップＳ１〜Ｓ３（またはステップＳ４〜Ｓ６），Ｓ７〜Ｓ９によって示される動作により携帯電話機１００のユーザは、会社２００の内線電話機１０，２０，３０，４０，・・に自動接続して通話可能である。
【００５０】
ステップＳ７において、携帯電話機１００の制御回路１０５は、着先がＤＴＭＦ信号に基づいて自動接続できないと判別したとき、着先がＩＳＤＮ交換機によって着サブアドレス（「ＩＳＤＮサブアドレス」とも言う。）を用いて内線電話機１０，２０，３０，４０，・・に接続可能か否かを判別する（ステップＳ１０）。この場合も、制御回路１０５は、メモリ（１）１０６の各会社の代表電話番号とともに記憶された自動接続可否情報に基づいてＩＳＤＮ交換機による内線接続が可能か否かを判別する。
【００５１】
制御回路１０５は、ＩＳＤＮ交換機によって内線接続可能と判別したとき、メモリ（１）１０６から読出したＡ社の代表電話番号１０６１をＩＳＤＮアドレス９０のＩＳＤＮ番号９１に設定し、メモリ（２）から読出した内線番号１０７１ＡをＩＳＤＮサブアドレス９２に設定して発呼する（ステップＳ１１）。そうすると、上述したように携帯電話機１００は、会社２００の内線電話機１０，２０，３０，４０，・・と自動接続され、携帯電話機１００のユーザは、内線電話機１０，２０，３０，４０，・・のユーザと通話可能である（ステップＳ１３）。
【００５２】
携帯電話機１００の制御回路１０５は、ステップＳ１０において、着先がＩＳＤＮ交換機によって自動接続できないと判別したとき、メモリ（１）１０６から呼出したＡ社の代表電話番号１０６１によって発呼するとともにメモリ（２）１０７から呼出した内線電話番号帳を表示部１０３に表示する。そして、オペレータ５００が交換機４００を介して携帯電話機１００からの発呼を着信し、「内線番号を押してください」というアナウンスを交換機４００を介して携帯電話機１００へ送信する。
【００５３】
そうすると、携帯電話機１００の制御回路１０５は、アンテナ１０１および送受信部１０３を介してアナウンスを受信し、その受信したアナウンスを変復調部１０８へ与える。そして、変復調部１０８は、アナウンスをデジタル信号からアナログ信号へ変換して音声処理部１０９へ与える。音声処理部１０９は、受取ったアナログ信号のアナウンスを復号してスピーカ１１１へ与える。スピーカ１１１をアナウンスを外部へ出力する。
【００５４】
携帯電話機１００のユーザが、アナウンスを聞き、キーボード１０４を介して内線番号を入力すると、制御回路１０５は、内線番号を受取り、送受信部１０２およびアンテナ１０１を介して交換機４００へ送信する。そして、オペレータ５００は、交換機４００を介して内線番号を受取り、その受取った内線番号に基づいて内線電話機１０，２０，３０，４０，・・を携帯電話機１００に接続する（ステップＳ１２）。そして、携帯電話機１００のユーザは、内線電話機１０，２０，３０，４０，・・のユーザと通話可能である（ステップＳ１３）。
【００５５】
なお、上記においては、会社の代表電話番号と内線番号とによって各会社の個人に自動接続する動作について説明したが、会社の代表電話番号の代わりに寮の電話番号を用い、内線番号に代えて部屋番号を用いることによって、寮の各部屋へ自動的に電話を接続することができる。
【００５６】
第１の実施の形態によれば、携帯電話機は、各会社の代表電話番号と、その代表電話番号に対応した内線電話番号とを別々のメモリに記憶し、各会社の代表電話番号によって発呼するので、携帯電話機のユーザは、自己の携帯電話機を各会社の内線電話機に接続することができる。
【００５７】
［実施の形態２］
図９を参照して、実施の形態２による携帯電話機１００Ａが通話相手の各種の電話機に電話を掛ける電話システムについて説明する。携帯電話機１００Ａのユーザは、通話相手の自宅６００の固定電話機６０１に発呼する。また、携帯電話機１００Ａのユーザは、通話相手の会社２００の内線電話機１０に電話を掛ける。この場合、携帯電話機１００Ａは、実施の形態１における方法を用いて内線電話機１０に自動的に接続される。さらに、携帯電話機１００Ａのユーザは、通話相手の携帯電話機１５０，１５１に電話を掛ける。つまり、通話相手は、２つの携帯電話機１５０，１５１を持っており、携帯電話機１００Ａのユーザは、通話相手の２つの携帯電話機１５０，１５１に選択的に電話を掛ける。
【００５８】
図１０を参照して、実施の形態２による携帯電話機１００Ａの構成について説明する。携帯電話機１００Ａは、図２に示す携帯電話機１００にメモリ（３）１１２を追加したものであり、その他は携帯電話機１００と同じである。ただし、メモリ（１）１０６、メモリ（２）１０７は、実施の形態１とは異なる電話番号等を記憶する。
【００５９】
図１１を参照して、携帯電話機１００Ａのメモリ（１）１０６は、通話相手の氏名を、通話相手の自宅の電話番号に対応付けて記憶する。すなわち、メモリ（１）１０６は、Ａ氏の自宅の電話番号１０６３と、Ｂ氏の自宅の電話番号１０６４とを、それぞれ、Ａ氏、Ｂ氏と対応付けて記憶する。
【００６０】
また、メモリ（２）１０７は、メモリ（１）１０６が記憶する各通話相手の連絡先の電話番号群を記憶する。すなわち、メモリ（２）１０７は、Ａ氏の電話番号群１０７３とＢ氏の電話番号群１０７４とを、それぞれ、メモリ（１）１０６のＡ氏、Ｂ氏に対応付けて記憶する。電話番号群１０７３，１０７４は、各通話相手の携帯電話機の電話番号、通話相手の会社の電話番号、通話相手のもう１つの携帯電話機の電話番号等から成る。
【００６１】
さらに、メモリ（３）１１２は、メモリ（２）１０７から会社の電話番号が選択された場合に、その会社の内線電話機１０に自動接続するための内線電話番号を、メモリ（２）１０７に記憶された通話相手の会社の電話番号に対応付けて記憶する。つまり、メモリ（３）１１２は、メモリ（２）１０７に記憶されたＡ氏の会社の電話番号およびＢ氏の会社の電話番号に対応した内線電話番号「５０００」、「５００５」を記憶する。
【００６２】
図１２を参照して、実施の形態２における携帯電話機１００Ａの動作について説明する。キーボード１０４を介して、Ｂ氏への発呼要求が入力されると、制御回路１０５は、バスＢＳ１を介してＢ氏への発呼要求を受信し、バスＢＳ１を介してメモリ（１）１０６を検索し（ステップＳ２０）、メモリ（１）１０６からＢ氏を呼出す（ステップＳ２１）。そして、制御回路１０５は、バスＢＳ１を介してメモリ（２）から電話番号群１０７４を呼出し、表示部１０３に表示する（ステップＳ２２）。
【００６３】
そうすると、携帯電話機１００Ａのユーザは、表示部１０３に表示された電話番号群１０７４の内容を見て、電話を掛けたいＢ氏の連絡先をキーボード１０４を介して入力する。そして、制御回路１０５は、バスＢＳ１を介して入力されたＢ氏の連絡先を受信し、その受信した連絡先の電話番号を送受信部１０２およびアンテナ１０１を介して送信することによって発呼する（ステップＳ２３）。そして、携帯電話機１００のユーザは、Ｂ氏と通話をする（ステップＳ２４）。
【００６４】
上記においては、携帯電話機１００Ａのユーザが表示部１０３に表示された電話番号群からＢ氏の会社の電話番号を選択したとき、会社２００の構内交換機３００からのアナウンスの受信に伴い、制御回路１０５は、実施の形態１において説明したのと同じ方法によってメモリ（３）１１２から内線電話番号「５００５」を選択して会社２００の構内交換機３００へ送信する。これにより、携帯電話機１００Ａは、会社２００の内線電話機１０に自動接続される。
【００６５】
なお、上記の説明においては、メモリ（１）１０６は、通話相手の氏名を通話相手の自宅の電話番号に対応付けて記憶するとして説明したが、本発明においては、これに限らず、メモリ（１）１０６は、通話相手の氏名のみを記憶しても良い。この場合、メモリ（１）１０６は、電話帳として機能する。
【００６６】
実施の形態２によれば、携帯電話機は、通話相手の氏名と、通話相手の連絡先の電話番号群とを記憶し、連絡先の電話番号群から選択された電話番号によって発呼するので、携帯電話機のユーザは、通話相手と通話できる可能性が高くなる。
【００６７】
［実施の形態３］
実施の形態３においては、携帯電話機１００Ａは、通話相手が複数の連絡先を持っている場合に、第１の連絡先に発呼し、第１の連絡先に接続されないときは、第２の連絡先に発呼する。そして、携帯電話機１００Ａは、第２の連絡先にも接続されないときは、第３の連絡先に接続する。第１の連絡先としては通話相手の会社の電話番号、第２の連絡先としては通話相手の自宅の電話番号、第３の連絡先としては通話相手の携帯電話機の電話番号とする。ただし、これらは例示であって、第１、第２、および第３の連絡先の電話番号は、通話相手によって異なる。たとえば、Ａ氏については、第１の連絡先が会社の電話番号、第２の連絡先が自宅の電話番号、第３の連絡先が親戚の電話番号であり、Ｂ氏については、第１の連絡先が会社の電話番号、第２の連絡先が携帯電話機の電話番号、第３の連絡先がもう１つの携帯電話機の電話番号というように決定される。
【００６８】
また、通話相手によっては第１、第２、および第３の連絡先のうち、一部の連絡先のみが記憶される。このように、通話相手によって記憶される連絡先の数、および内容が異なる。
【００６９】
図１３を参照して、携帯電話機１００Ａのメモリ（１）１０６は、通話相手の第１の連絡先を記憶し、メモリ（２）１０７は通話相手の第２の連絡先を記憶し、メモリ（３）１１２は通話相手の第３の連絡先を記憶する。そして、メモリ（１）１０６はメモリ（２）１０７と対応付けられており、メモリ（２）１０７はメモリ（３）１１２と対応付けられている。
【００７０】
図１４を参照して、実施の形態３における携帯電話機１００Ａの動作について説明する。携帯電話機１００Ａのユーザがキーボード１０４を介してＡ氏への発呼要求を入力すると、制御回路１０５は、バスＢＳ１を介してＡ氏への発呼要求を受信し、バスＢＳ１を介してメモリ（１）１０６からＡ氏の会社の電話番号を検索し（ステップ３０）、Ａ氏の会社の電話番号を検出すると、その検出した電話番号をバスＢＳ１を介して送受信部１０２およびアンテナ１０１を介して外部へ送信することによってＡ氏の第１の連絡先に発呼する（ステップＳ３１）。
【００７１】
そして、制御回路１０５は、応答の有無を判別し（ステップＳ３２）、応答があった場合、Ａ氏と通話を行なう（ステップＳ３３）。ステップＳ３２において、制御回路１０５は応答無しと判別したとき、制御回路１０５は、バスＢＳ１を介してメモリ（２）１０７から次の連絡先があるか否かを判別し（ステップＳ３４）、次の連絡先がなかったときはＡ氏への発呼動作が終了する
。ステップＳ３４において、次の連絡先があると判別されたとき、制御回路１０５は、メモリ（２）１０７からＡ氏の次の連絡先の電話番号を呼出し、その呼出した電話番号を送受信部１０２およびアンテナ１０１を介して外部へ送信することによってＡ氏の第２の連絡先へ発呼する（ステップＳ３５）。その後、ステップＳ３２〜Ｓ３５が繰返される。
【００７２】
これによって、携帯電話機１００Ａは、通話相手の第１の連絡先から第３の連絡先までに発呼することができる。
【００７３】
上記においては、連絡先は３個として説明したが、本発明においては連絡先は３個に限らず、携帯電話機１００Ａは、第４および第５の連絡先を記憶していても良い。その場合、携帯電話機１００Ａはメモリ（４）、メモリ（５）をさらに備える。
【００７４】
また、上述した第１〜第３の連絡先は、相互に入替えが可能である。すなわち、第１の連絡先を会社の電話番号、第２の電話番号を携帯電話機の電話番号、第３の電話番号を自宅の電話番号にしていたのを、第１の連絡先を携帯電話機の電話番号、第２の電話番号を会社の電話番号、第３の電話番号を自宅の電話番号と変更することが可能である
さらに、図１４に示すフローチャートにおいては、メモリ（１）１０６に記憶された通話相手の電話番号を用いて最初に発呼し、以下、順次、メモリ（２）１０７に記憶された電話番号、メモリ（３）１１２に記憶された電話番号を用いて発呼されるが、これらの順番は任意に変更可能である。
【００７５】
実施の形態３によれば、携帯電話機は複数の連絡先の電話番号を記憶し、発呼した連絡先に接続されないときは、次の連絡先に発呼するので、通話相手と通話ができる可能性が高くなる。
【００７６】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００７７】
この発明は、通話相手の複数の電話番号の各々を別々のメモリに登録し、その登録した複数の電話番号によって通話相手に自動的に接続可能な携帯電話機に適用される。
【図面の簡単な説明】
【００７８】
【図１】本発明の実施の形態１における電話システムを概念的に説明するための概略図である。
【図２】図１に示す携帯電話機の構成を説明するための概略ブロック図である。
【図３】図２に示す携帯電話機の２つのメモリに記憶される電話番号を説明するための図である。
【図４】図１に示す電話システムにおける会社に設置される構内交換機の概略ブロック図である。
【図５】図１に示す電話システムにおいて会社の内線電話機へ自動的に接続する他の手段を説明するための概略図である。
【図６】ＩＳＤＮアドレスの構成図である。
【図７】図１に示す電話システムにおいて会社の内線電話機へ接続するさらに他の手段を説明するための概略図である。
【図８】実施の形態１における携帯電話機の動作を説明するためのフローチャートである。
【図９】本発明の実施の形態２における電話システムを概念的に説明するための概略図である。
【図１０】図９に示す携帯電話機の構成を説明するための概略ブロック図である。
【図１１】図１０に示す携帯電話機の３つのメモリに記憶される電話番号を説明するための図である。
【図１２】実施の形態２における携帯電話機の動作を説明するためのフローチャートである。
【図１３】実施の形態３による携帯電話機の３つのメモリに記憶される電話番号を説明するための図である。
【図１４】実施の形態３における携帯電話機の動作を説明するためのフローチャートである。
【符号の説明】
【００７９】
１０，２０，３０，４０  内線電話機、８０  ＩＳＤＮ網、９０  ＩＳＤＮアドレス、９１  ＩＳＤＮ番号、９２  ＩＳＤＮサブアドレス、１００，１００Ａ，１５０，１５１  携帯電話機、１０１  アンテナ、１０２  送受信部、１０３  表示部、１０４  キーボード、１０５  制御回路、１０６，１０７，１１２  メモリ、１０８  変復調部、１０９  音声処理部、１１０  マイク、１１１  スピーカ、２００  会社、３００  構内交換機、３０１，４００  交換機、３０２  音声装置、３０３  ＤＴＭＦ処理部、３０４  制御装置、５００  オペレータ、６００  自宅、６０１  固定電話機、９１１  国番号、９１２  国内宛先番号、９１３  加入者番号、１０６１，１０６２  代表電話番号、１０６３，１０６４  電話番号、１０７１，１０７２  内線電話番号帳、１０７１Ａ，１０７２Ａ，１０７２Ｂ，１０７２Ｃ  内線電話番号、１０７３，１０７４  電話番号群。
【図１】
0003691509.tif 000002
【図２】
0003691509.tif 000003
【図３】
0003691509.tif 000004
【図４】
0003691509.tif 000005
【図５】
0003691509.tif 000006
【図６】
0003691509.tif 000007
【図７】
0003691509.tif 000008
【図８】
0003691509.tif 000009
【図９】
0003691509.tif 000010
【図１０】
0003691509.tif 000011
【図１１】
0003691509.tif 000012
【図１２】
0003691509.tif 000013
【図１３】
0003691509.tif 000014
【図１４】
0003691509.tif 000015